(57)【特許請求の範囲】
【請求項１】
通信システムにおいて遠隔局により基地局の送信電力を制御する方法において、
（ａ）複数の回線上で前記基地局から信号を複数の送信アンテナによって送信するステップ；
（ｂ）前記複数の回線上で前記遠隔局にて前記信号を受信するステップ；
（ｃ）前記複数の回線の各々について前記信号の信号対雑音比（ＳＮＲ）を評価するステップ；
（ｄ）前記ＳＮＲの各々の加重和として電力制御命令を決定するステップ；
（ｅ）前記電力制御命令を前記基地局に送信するステップ；及び
（ｆ）前記基地局にて受信された前記電力制御命令に基づいて前記送信電力を前記複数の送信アンテナのそれぞれに対応して調整するステップ
を含み、
前記ステップ（ｄ）が、
（ａ）前記ＳＮＲの大きさに基づいて第一の順序付け集合中に前記ＳＮＲを配列するステップ；
（ｂ）定数を含む第二の順序付き集合を形成し、前記第二の順序付き集合が前記第一の順序付き集合と大きさが逆の数列に順序付けられ、前記第一の順序付き集合と同数の要素（ｍｅｍｂｅｒ）を有するステップ；
（ｃ）前記第一の順序付き集合の各要素を前記第二の順序付き集合の対応位置の要素で掛け算し、前記掛け算の積を加算することにより合成ＳＮＲを計算するステップ；
（ｄ）前記合成ＳＮＲを閾値と比較するステップ；及び
（ｅ）前記合成ＳＮＲが前記閾値より小さければ前記電力制御命令を第一の値に設定し、前記合成ＳＮＲが前記閾値より大きければ前記電力制御命令を第二の値に設定するステップ
を含む方法。
【請求項２】
前記複数の回線が二に等しい請求項１の方法。
【請求項３】
前記第二の順序付き集合の一つの前記定数が０．３であり、前記第二の順序付き集合の別の前記定数が０．７である請求項２の方法。
【請求項４】
通信システムにおいて遠隔局により基地局の送信電力を制御する方法において、
（ａ）複数の回線上で前記基地局から信号を複数の送信アンテナによって送信するステップ；
（ｂ）前記複数の回線上で前記遠隔局にて前記信号を受信するステップ；
（ｃ）前記複数の回線の各々について前記信号のＳＮＲを評価するステップ；
（ｄ）前記ＳＮＲの関数である信号の組み合わせ（ｃｏｍｂｉｎａｔｉｏｎ）から電力制御命令を決定するステップ；
（ｅ）前記電力制御命令を前記基地局に送信するステップ；及び
（ｆ）前記基地局にて受信された前記電力制御命令に基づいて前記送信電力を前記複数の送信アンテナのそれぞれに対応して調整するステップを含む方法。
【請求項５】
ステップ（ｄ）が、
（ａ）前記複数の回線の一つの前記ＳＮＲを閾値と比較するステップ；
（ｂ）前記ＳＮＲが前記閾値より小さければ対応する電力制御命令を第一の値に設定し、前記ＳＮＲが前記閾値より大きければ前記対応する電力制御命令を第二の値に設定するステップ；
（ｃ）前記複数の回線の全てについてステップ（ａ）及び（ｂ）を繰り返すステップ；及び
（ｄ）前記電力制御命令を送信されるべき電力制御群に連続して割り当てるステップ
を含む請求項４の方法。
【請求項６】
ステップ（ｄ）が、
（ａ）前記複数の回線の一つの前記ＳＮＲを閾値と比較するステップ；
（ｂ）前記ＳＮＲが前記閾値より小さければ対応する電力制御命令を第一の値に設定し、前記ＳＮＲが前記閾値より大きければ前記対応する電力制御命令を第二の値に設定するステップ；
（ｃ）前記複数の回線の全てについてステップ（ａ）及び（ｂ）を繰り返すステップ；及び
（ｄ）前記電力制御命令の全て含む集合を送信されるべき電力制御群に割り当てるステップ
を含む請求項４の方法。
【請求項７】
複数の送信器を含む基地局について遠隔局にて電力制御命令を生成する方法において、
（ａ）前記遠隔局にて複数の回線上で前記基地局から送信された信号を複数の送信アンテナによって受信するステップ；
（ｂ）前記複数の回線上の各々について前記信号のＳＮＲを評価するステップ；
（ｃ）前記ＳＮＲの大きさに基づいて第一の順序付き集合中に前記ＳＮＲを配列するステップ；
（ｄ）定数を含む第二の順序付き集合を形成し、前記第二の順序付き集合が前記第一の順序付き集合と大きさが反対の数列に順序付けられ、前記第一の集合と同数の要素（ｍｅｍｂｅｒ）を有するステップ；
（ｅ）前記第一の順序付き集合の各要素を前記第二の順序付き集合の対応位置の要素により掛け算し、前記掛け算の積を加算することにより合成ＳＮＲを計算するステップ；
（ｆ）前記合成ＳＮＲを閾値と比較するステップ、及び
（ｇ）前記合成ＳＮＲが前記閾値より小さければ前記電力制御命令を第一の値に設定し、前記合成ＳＮＲが前記閾値より大きければ前記電力制御命令を第二の値に設定するステップを含む方法。
【請求項８】
ステップ（ｃ）から（ｇ）に代えて、
（ａ）複数の回線の一つの前記ＳＮＲを閾値と比較するステップ；
（ｂ）前記ＳＮＲが前記閾値より小さければ対応する電力制御命令を第一の値に設定し、前記ＳＮＲが前記閾値より大きければ前記対応する電力制御命令を第二の値に設定するステップ；
（ｃ）前記複数の回線の全てについてステップ（ａ）及び（ｂ）を繰り返すステップ；及び（ｄ）前記電力制御命令を送信されるべき電力制御群に連続して割り当てるステップを含む請求項７の方法。
【請求項９】
ステップ（ｄ）が、（ａ）複数の回線の一つの前記ＳＮＲを閾値と比較するステップ；
（ｅ）前記ＳＮＲが前記閾値より小さければ対応する電力制御命令を第一の値に設定し、前記ＳＮＲが前記閾値より大きければ前記対応する電力制御命令を第二の値に設定するステップ；
（ｆ）前記複数の回線の全てについてステップ（ａ）及び（ｂ）を繰り返すステップ；及び（ｇ）全ての前記電力制御命令を含む集合を送信されるべき電力制御群に割り当てるステップを含む請求項８の方法。
【請求項１０】
遠隔局により基地局の送信電力を制御する通信システムにおいて、
（１）（ａ）複数のＳＮＲを受け入れる；
（ａ−１）前記複数のＳＮＲを評価する；
（ｂ）前記ＳＮＲ各々の加重和として電力制御命令を決定する；及び
（ｃ）前記電力制御命令を通信する機能を実行することが可能な第一の電力制御プロセッサ；及び
（２）（ａ）前記電力制御命令を含む信号を受け入れる；及び
（ｃ）前記送信器の前記送信電力を調整する機能を実行することが可能な第二の電力制御プロセッサを含み、
前記第一の電力制御プロセッサは、
（ａ）前記ＳＮＲの大きさに基づき第一の順序付き集合中にＳＮＲを配列する；
（ｂ）定数を含む第二の順序付き集合を形成し、前記第二の順序付き集合が前記第一の順序付き集合と大きさが逆の数列に順序付けられ、前記第一の集合と同数の要素（ｍｅｍｂｅｒ）を有する；
（ｃ）前記第一の順序付き集合の各要素を前記第二の順序付き集合の対応位置の要素により掛け算し、前記掛け算の積を加算することにより合成ＳＮＲを計算する；
（ｄ）前記合成ＳＮＲを閾値と比較する；
（ｅ）前記合成ＳＮＲが前記閾値より小さければ前記電力制御命令を第一の値に設定し、前記合成ＳＮＲが前記閾値より大きければ前記電力制御命令を第二の値に設定することにより機能（ｂ）を実行することが可能な通信システム。
【請求項１１】
前記複数のＳＮＲが二に等しい請求項１０の通信システム。
【請求項１２】
前記第二の順序付き集合の一つの前記定数が０．３であり、前記第二の順序付き集合の別の前記定数が０．７である請求項１０の通信システム。
【請求項１３】
通信システムにおいて遠隔局にて電力制御命令を生成する装置において、
（ｄ）基地局から複数の送信アンテナによって送信された信号の複数のＳＮＲを受け入れる；
（ｄ−１）前記複数のＳＮＲを評価する；
（ｅ）前記ＳＮＲの各々の加重和として電力制御命令を決定する；
（ｆ）前記電力制御命令を通信する；
機能を実行することが可能な第一の電力制御プロセッサを含み、
前記第一の電力制御プロセッサは、
（ｆ）前記ＳＮＲの大きさに基づき第一の順序付き集合中に前記ＳＮＲを配列する；
（ｇ）定数を含む第二の順序付き集合を形成し、前記第二の順序付き集合が前記第一の順序付き集合と大きさが逆の数列に順序付けられ、前記第一の集合と同数の要素（ｍｅｍｂｅｒ）を有する；
（ｈ）前記第一の順序付き集合の各要素を前記第二の順序付き集合の対応位置の要素により掛け算し、前記掛け算の積を加算することにより合成ＳＮＲを計算する；
（ｉ）前記合成ＳＮＲを閾値と比較する；
（ｊ）前記合成ＳＮＲが前記閾値より小さければ前記電力制御命令を第一の値に設定し、前記合成ＳＮＲが前記閾値より大きければ前記電力制御命令を第二の値に設定することにより機能（ｂ）を実行することが可能な装置。
【発明の詳細な説明】
【０００１】
発明の背景
Ｉ．発明の分野
本発明は通信に関する。特に、本発明は直交送信ダイバーシチを使用する通信システムにおいて送信エネルギを制御するための新規且つ改良された方法及び装置に関する。
ＩＩ．関連技術分野の説明
符号分割多重接続（ＣＤＭＡ）変調技術の使用は多数のシステム・ユーザーが存在する通信を容易にするための幾つかの技術の一つである。時分割多重接続（ＴＤＭＡ）及び周波数多重接続（ＦＤＭＡ）といった、他の多重接続通信システム技術はこの技術分野において既知である。しかしながら、ＣＤＭＡの拡散スペクトラム変調技術は多重接続通信システムについてこれらの変調技術に対して大きな利点を有している。多重接続通信システムにおけるＣＤＭＡの使用は、本発明の譲請人に譲渡され、その開示がここに引用文献として組み込まれた、“衛星または地上中継器を用いた拡散スペクトラム多重接続通信システム（SPREAD SPECTRUM MULTIPLE ACCESS COMMUMCATION SYSTEM USING SATELLITE OR TERRESTRIAL REPEATERS）”と題する米国特許第４，９０１，３０７号に開示されている。さらに多重接続通信システムにおけるＣＤＭＡの使用は、本発明の譲請人に譲渡され、その開示がここに引用文献として組み込まれた、“ＣＤＭＡセルラ電話システムにおいて信号波形を生成するシステムおよび方法（SYSTEM AND METHOD FOR GENERATING SIGNAL WAVEFORMS IN A CDMA CELLULAR TELEPHONE SYSTEM）”と題する米国特許第５，１０３，４５９号に開示されている。
【０００２】
ＣＤＭＡは広帯域信号である本来の性質により広帯域上に信号エネルギを拡散することによって周波数ダイバーシチの形を提供する。したがって、周波数選択性フェーディングはＣＤＭＡ信号帯域の小部分だけに影響を及ぼすにすぎない。空間（ｓｐａｃｅ）または通信路（ｐａｔｈ）ダイバーシチは遠隔のユーザーから二またはそれ以上のセル・サイトまで同時回線を介して多重信号路を用意することにより得られる。さらに、通信路ダイバーシチは伝播遅れが異なって到着する信号を受信し、別々に処理を行うことを許容することにより拡散スペクトラム処理を通してマルチパス環境を活用することにより得ることができる。通信路ダイバーシチの例は、本発明の譲請人に譲渡され、ここに引用文献として組み込まれた、“ＣＤＭＡセルラ電話システムにおいて通信におけるソフト・ハンドオフを提供する方法及びシステム（METHOD AND SYSTEM FOR PROVIDING A SOFT HANDOFF IN COMMUNICATIONS IN A CDMA CELLULAR TELEPHONE SYSTEM）”と題する米国特許第５，１０１，５０１号、及び“ＣＤＭＡセルラ電話システムにおけるダイバーシチ受信器（DIVERSITY RECEIVER IN A CDMA CELLULAR TELEPHONE SYSTEM）” と題する米国特許第５，１０９，３９０号の両方に説明されている。
【０００３】
ＴＤＭＡといった他の変調方式においては、信号ダイバーシチは受信器に雑音（ｎｏｉｓｅ）として作用し、そのようなことは大変望ましくない。一方、ＣＤＭＡシステムにおけるダイバーシチ受信値は非常にはっきりしているからシステムは故意に送信に信号ダイバーシチを導入するよう開発されてきた。ＣＤＭＡ通信システムに信号ダイバーシチを故意に導入する一方法は、本発明の譲請人に譲渡され、ここに引用文献として組み込まれている“ＣＤＭＡマイクロセルラ電話システム及び分布アンテナ・システム（CDMA Microcellular Telephone System and Distributed Antenna System）”と題する米国特許第５，２８０，４７２号に記載されている分布アンテナを通して全く同じ信号を送信することである。
【０００４】
国際電気通信連合は最近無線通信チャンネルにおける高データ率及び高品質音声サービスを提供する方法の提案を要求した。この提案の第一は“ｃｄｍａ２０００  ＩＴＵ−Ｒ  ＲＴＴ候補提案（The cdma2000 ITU-RTT RTT Candidate Submission）”と題し、米国電気通信工業会（Telecommunications Industry Association）より発行された。この提案の第二は“ＥＴＳＩ  ＵＭＴＳ  地上無線接続（ＵＴＲＡ）ＩＴＵ−Ｒ  ＲＴＴ候補提案（The ETSI UMTS Terrestrial Radio Access (UTRA) ITU-R RTT Candidate Submission）”と題し、ヨーロッパ電気通信標準化協会（the European Telecommunications Standards Institute (ETSI)）より発行された。
【０００５】
米国電気通信工業会は最初のｃｄｍａ２０００の提案を以後ｃｄｍａ２０００として引用される“ｃｄｍａ２０００物理層のためのバロット・テキスト提案（Proposed Ballot Text for cdma2000 Physical Layer）”と題するドラフト仕様の中に展開した。このドラフト仕様は直交送信ダイバーシチ（Orthogonal Transmit Diversity：ＯＴＤ ）として引用される通信路及び符号空間ダイバーシチを提供するための方法を記述している。ＯＴＤにおいて、遠隔局に送信されるべき情報は二つの信号に分別化される。二つの信号の各々は明確な直交拡散数列を用いて拡散され、別々のアンテナから送信される。
【０００６】
通信システムにおいて遠隔局の電力制御の便利な方法は基地局で遠隔局からの受信信号電力を監視することである。基地局は監視電力レベルに応答して遠隔局に一定の間隔で電力制御ビットを送信する。このような送信電力を制御する方法及び装置は、本発明の譲請人に譲渡され、その開示がここに引用文献として組み込まれた、“ＣＤＭＡセルラ移動電話システムにおいて送信電力を制御する方法及び装置（METHOD AND APPARATUS FOR CONTROLLING TRANSMISSION POWER IN A CDMA CELLULAR MOBILE TELEPHONE SYSTEM）”と題する米国特許第５，０５６，１０９号に開示されている。
【０００７】
或る二つの直交数列間の交差相関（ｃｒｏｓｓ  ｃｏｒｒｅｌａｔｉｏｎ）はゼロであるため、直交拡散数列はＣＤＭＡ通信システムにおいて非常に望ましい。しかしながら、直交数列は非常に貧弱な自己相関特性を有し、マルチパス効果に遭遇する移動環境においては貧弱な自己相関特性はＣＤＭＡシステムを動作不能にする。この影響のため、直交拡散データを被包する偽雑音被包（ｐｓｅｕｄｏｎｏｉｓｅ  ｃｏｖｅｒｉｎｇ）が非常に望ましい。偽雑音被包は偽雑音数列とこの数列の時間シフトしたものとの間の相関が低くなるように選択される。新しい高容量システムにおいて、複合ＰＮ拡散として引用される、同位相及び直角位相チャンネル上に装荷を均等に分布させるようにデータを拡散する方法が開発された。複合ＰＮ拡散を実行する方法及び装置は、本発明の譲請人に譲渡され、ここに引用文献として組み込まれた、“高データ率ＣＤＭＡ無線通信システム（HIGH DATA RATE CDMA WIRELESS COMMUNICATION SYSTEM）”と題する米国特許出願第０８／８８６，６０４号に詳細に記述されている。
【０００８】
発明の概要
本発明は送信エネルギを制御するための新規且つ改良された方法及び装置である。本発明は直交送信ダイバーシチを使用する送信器と共に動作する閉ループ電力制御システムである。本発明の第一の実施例においては、受信器は二つのＯＴＤ信号成分の信号対雑音比（ＳＮＲ）を評価する。二つの信号の弱い方を強調してこれら二成分の加重和が生成され、電力制御命令の生成に使用される。本発明の第二の実施例においては、二成分信号のＳＮＲが計算され、二つの別々の電力制御命令が対応するＳＮＲ計算値に基づいて生成される。
【０００９】
本発明の特徴、目的、および長所は、同様な参照符号が全体にわたり対応して同一である図面と関連して取られる以下に始まる詳細な記述からさらに明らかになるであろう。
【００１０】
好ましい実施例の詳細な説明
図１は順方向回線上でＯＴＤを使用する無線通信システムにおける主要な要素を図示する。送信されるべき信号０は基地局制御装置（図示されてない）により基地局２に供給される。基地局２は二通信路に供給するため信号を分別化（ｄｅ−ｍｕｌｔｉｐｌｅｘ）し、異なる拡散符号を使用して各分別された部分を拡散し、そして付加的処理を行った後信号０の第一の分別化部分をアンテナ４に、第二の分別化部分をアンテナ６に供給する。
【００１１】
アンテナ４からの信号は順方向回線信号８として送信され、アンテナ６からの信号は順方向回線信号１０として送信される。斯くして、基地局２から放射する信号はお互いについて符号及び空間ダイバーシチの両者を所有する。ＯＴＤは二つの順方向回線信号８及び１０上の搬送情報が異なるという意味では真の信号ダイバーシチではないということを留意すべきである。順方向回線信号８及び順方向回線信号１０の両者が信頼できる受信を同時にできるという要請を提供するため、真の信号ダイバーシチの欠如は本発明の主要な動機である。順方向回線信号８及び１０上で送信される情報が冗長性をもっている真の信号ダイバーシチ状態では、順方向回線信号８及び順方向回線信号１０のいずれかがどんなときでも信頼できる受信が可能であるという要求だけがあるであろう。
【００１２】
順方向回線信号８及び１０は遠隔局１２により受信される。遠隔局１２は順方向回線信号８及び１０を受信し、復調し、信号０を評価するため復調された信号を結合する。さらに、遠隔局１２は基地局２により送信された信号の送信エネルギの妥当性を決定し、この決定にしたがって一連の電力制御命令を生成する。基地局２からの送信エネルギを制御するこの方法は閉ループ電力制御と呼ばれ、閉ループ電力制御システムの実施は前述の米国特許第５，０５６，１０９号に詳細に記述されている。
【００１３】
遠隔局１２は順方向回線信号８及び１０のＳＮＲの評価値を計算し、それはフィードバック電力制御命令または命令群の決定のために使用される。電力制御命令は続いて遠隔局１２により処理され、逆方向回線信号１６で基地局２に送信される。逆方向回線信号１６はアンテナ１４で受信され、基地局２に供給される。基地局２は電力制御命令を受信し、復調し、受信電力制御命令に従って順方向回線信号８及び１０の送信エネルギを調整する。
【００１４】
図２は基地局２により送信される信号の処理をさらに詳細に図示する。信号０はデマルチプレクサ５０に供給し、それは四つの分別化成分を出力する。信号０の各分別化成分は拡散器５２、５４、５６、及び５８の対応する一つに供給される。前方向誤り訂正符号化、インターリーブ化、及びレート・マッチングを含む信号０の処理はデマルチプレクサ５０への信号供給前に実行されることはこの技術分野に熟達する者には理解されるであろう。そのような処理の実行はこの技術分野において周知であり、本発明の主題ではない。
【００１５】
遠隔局１２が順方向回線信号８及び１０を整合復調するのを許容するために、パイロット信号が各アンテナ４及び６からまた送信されなければならない。好ましい実施例において、共通パイロットがウォルシュ・ゼロ（Ｗｏ）、または全てが‘１’の数列を用いてアンテナ４から送信され、補助パイロット構造を用いて第二のパイロットがアンテナ６から送信される。全てが‘１’の数列を用いて生成された共通パイロットの使用は前述の米国特許第５，１０３，４５９号に詳細に記述され、補助パイロットの生成及び使用は“直交スポット・ビーム、セクター及びピコセルを供給する方法及び装置（METHOD AND APPARATUS FOR PROVIDING ORTHOGONAL SPOT BEAMS, SECTORS AND PICOCELLS）”と題する係属中の米国特許出願第０８／９２５，５２１号に詳細に記述され、それは本発明の譲請人に譲渡され、ここに引用文献として組み込まれている。
【００１６】
拡散器５２及び５４は拡散数列Ｗｉを用いて信号０の第一の二成分を拡散する。拡散器５６及び５８は第二の符号Ｗｊを用いて信号０の第二の二成分を拡散する。二つの異なる符号Ｗｉ及びＷｊの使用は符号ダイバーシチを提供する。典型的な実施例において、Ｗｉ及びＷｊは直交関数または擬似直交関数のいずれかの形をとる。直交関数の生成はこの技術分野においては周知であり、前述の米国特許第５，１０３，４５９号に記述されている。擬似直交関数は直交数列の集合に最小相関を有する数列である。擬似直交関数の生成は“擬似直交ベクトルの構築のための方法及び装置（METHOD AND APPARATUS FOR CONSTRUCTION OF QUASI-ORTHOGONAL VECTOR）”と題する係属中の米国特許出願第０９／１３６，１０７号に詳細に記述され、それは本発明の譲請人に譲渡され、ここに引用文献として組み込まれている。
【００１７】
拡散器５２及び５４からの拡散信号は複合偽雑音（ＰＮ）拡散器６０に供給される。複合ＰＮ拡散器６０はＰＮ数列ＰＮＩ及びＰＮＱに従って信号を拡散する。複合ＰＮ拡散はこの技術分野においては周知であり、ｃｄｍａ２０００候補提案及び前述の米国特許出願第０８／８８６，６０４号に記述されている。複合ＰＮ拡散信号は送信器（ＴＭＳＲ）６４に供給される。ＴＭＳＲ６４はＱＰＳＫ変調フォーマットに従って信号をアップコンバート、増幅、及びフィルタし、順方向回線信号８として送信のためアンテナ４に処理した信号を供給する。増幅量は利得制御命令ＧＣ１に従って決定される。
【００１８】
同様に、拡散器５６及び５８からの拡散信号は複合ＰＮ拡散器６２に供給される。複合ＰＮ拡散器６２はＰＮ数列ＰＮＩ及びＰＮＱに従って信号を拡散する。複合ＰＮ拡散信号はＴＭＳＲ６６に供給される。送信器６６はＱＰＳＫ変調フォーマットに従って信号をアップコンバート、増幅、及びフィルタし、順方向回線信号１０として送信のためアンテナ６に処理された信号を供給する。増幅量は利得制御命令ＧＣ２に従って決定される。
【００１９】
図３は遠隔局１２による信号の処理をより詳細に図示する。順方向回線信号８及び１０はアンテナ１８により遠隔局１２で受信され、送受切換器（ｄｕｐｌｅｘｅｒ）２０を介して受信器（ＲＣＶＲ）２２に供給される。受信器２２はＱＰＳＫ復調法に従って受信信号をダウンコンバート、増幅、及びフィルタし、受信信号を複合ＰＮ逆拡散器２４に供給する。複合ＰＮ拡散器２４の実施はこの技術分野においては周知であり、係属中の米国特許出願第０８／８８６，６０４号に詳細に記述されている。
【００２０】
複合ＰＮ逆拡散信号の第一の成分は逆拡散器２６及び逆拡散器２８に供給される。逆拡散器２６及び２８は第一の符号Ｗｉに従って信号を逆拡散する。複合ＰＮ逆拡散信号の第二の成分は逆拡散器３０及び逆拡散器３２に供給される。逆拡散器３０及び３２は第二の符号Ｗｊに従って信号を逆拡散する。逆拡散器２６、２８、３０及び３２の実施はこの技術分野においては周知であり、前述の米国特許第５，１０３，４５９号に詳細に記述されている。その上、同様の逆拡散動作はパイロット記号を拡散するのに使用されるウォルシュ数列を使用してパイロット・チャンネル上で実行される。
【００２１】
逆拡散器２６及び２８から出力された信号は順方向回線信号８の信号対雑音比（ＳＮＲ１）の評価値を計算するＳＮＲ計算器３４に供給される。逆拡散器３０及び３２から出力された信号は順方向回線信号１０の信号対雑音比（ＳＮＲ２）の評価値を計算するＳＮＲ計算器３６に供給される。
【００２２】
典型的な実施例において、雑音エネルギは固定エネルギで送信されるパイロット・チャンネルの信号変動を計算することにより計測される。パイロット信号の変動を使用する雑音エネルギの計測は、“拡散スペクトラム通信システムにおける回線品質を測定するための方法及び装置（METHOD AND APPARATUS FOR MEASURING LINK QUALITY IN A SPREAD SPECTRUM COMMUNICATION SYSTEM）”と題する係属中の米国特許出願第０８／７２２，７６３号に詳細に記述され、それは本発明の譲請人に譲渡され、ここに引用文献として組み込まれている。ビット・エネルギは基本トラフィックの率に拘わらずフル・レート送信のエネルギで送信されるパンクチャド電力制御ビットのエネルギを計測することにより計算される。パンクチャド電力制御記号からビット・エネルギを決定する方法の好ましい実施例は、“ＣＤＭＡ通信システムにおいて送信電力を制御する方法及び装置（METHOD AND APPARATUS FOR CONTROLLING TRANSMISSION POWER IN A CDMA COMMUNICATION SYSTEM）” と題する係属中の米国特許出願第０９／２３９，４５１号に詳細に記述され、それは本発明の譲請人に譲渡され、ここに引用文献として組み込まれている。本発明はＣＤＭＡ通信システムにおける信号対雑音比を決定する他の方法にも適用可能である。
【００２３】
評価されたＳＮＲ１及びＳＮＲ２はそれから電力制御プロセッサ３８に供給され、それは電力制御命令を出力する。
【００２４】
電力制御命令の決定において電力制御プロセッサ３８により使用される手順の一実施例は図５に図示されている。アルゴリズムはブロック１００で始まる。ブロック１０２において、順方向回線信号８の信号対雑音比（ＳＮＲ１）が計測される。ブロック１０２’において、順方向回線信号１０の信号対雑音比（ＳＮＲ２）が計測される。ブロック１０４において、二つの信号対雑音比、ＳＮＲ１及びＳＮＲ２が比較される。ＳＮＲ１がＳＮＲ２より大きければ、合成ＳＮＲは以下の公式を使用してブロック１０６で計算される。
【数１】
ＳＮＲ＝αＳＮＲ１＋βＳＮＲ２
ここで好ましい実施例においては、βはαより大きい。典型的な実施例において、βは０．７に等しく、αは０．３に等しい。この方法はより弱い信号のＳＮＲを強調し、それは両方の信号が信頼性よく受信されるに十分な強度であることを保証する目的と一致する。ＳＮＲ１がＳＮＲ２より小さければ、合成ＳＮＲは以下の公式で与えられた式を使用してブロック１０６’で計算される。
【数２】
ＳＮＲ＝αＳＮＲ２＋βＳＮＲ１
ここでもまたβはαより大きい。
【００２５】
ブロック１０８において、合成ＳＮＲは所定の閾値Ｔと比較される。合成ＳＮＲがＴより大きければ、電力制御命令（ＰＣＣ）は１に設定される。ＳＮＲがＴより小さければ、ＰＣＣは０に設定される。ブロック１１０において、ＰＣＣが送信され、アルゴリズムはブロック１１２で終了する。
【００２６】
図６は本発明の別の実施例を図示するフローチャートを描いている。アルゴリズムはブロック２００で始まる。ブロック２０２において、順方向回線信号８の信号対雑音比（ＳＮＲ１）が計測される。ブロック２０２’において、順方向回線信号１０の信号対雑音比（ＳＮＲ２）が計測される。
【００２７】
ブロック２０４において、ＳＮＲ1は所定の閾値Ｔと比較される。ＳＮＲ1がＴより大きければ、第一の電力制御命令（ＰＣＣ1）は１に設定される。ＳＮＲ1がＴより小さければ、ＰＣＣ1は０に設定される。ブロック２０４’において、ＳＮＲ２は所定の閾値Ｔと比較される。ＳＮＲ２がＴより大きければ、第二の電力制御命令（ＰＣＣ２）は１に設定される。ＳＮＲ２がＴより小さければ、ＰＣＣ２は０に設定される。
【００２８】
ブロック２０６において、ＰＣＣ送信の決定が行われる。発明の一実施例においては、電力制御群当たり一電力制御ビットだけが送信される。発明の別の実施例においては、電力制御群当たり二つの電力制御ビットが送信される。この実施例においては、ＰＣＣはＰＣＣ1、ＰＣＣ２といった順序付き対を含む。ブロック２０８において、ＰＣＣが送信される。アルゴリズムはブロック２１０で終了する。
【００２９】
電力制御命令または命令群はそれから送信サブシステム３９に供給される。送信サブシステム３９は電力制御命令をアップコンバート、増幅及びフィルタし、逆方向回線信号１６として送信のため送受切換器２０を介してアンテナ１８に処理された信号を供給する。
【００３０】
図４に転ずると、逆方向回線信号１６はアンテナ１４で受信され、受信器（ＲＣＶＲ）４０に供給される。ＲＣＶＲ４０はＱＰＳＫ復調フォーマットに従って信号をダウンコンバート、増幅及びフィルタし、受信信号を復調器４２に供給する。復調器４２はＣＤＭＡフォーマットに従って信号を復調する。それから電力制御命令は復調信号から取り出され、信号ＧＣ1及びＧＣ２として送信器６４及び６６に供給される。受信電力制御命令に対応して、送信器６４及び６６は所定の方法でその送信エネルギを上げたり下げたり調整する。
【００３１】
先述の好ましい実施例はこの技術分野に熟達する人が本発明を為しまたは使用を可能にするために提供される。これらの実施例に対する種々の変形はこの技術分野に熟達する者には直ちに明白であり、この中に定義された一般原理は発明能力を用いることなく他の実施例に適用可能である。斯くして、本発明はこの中に示された実施例に限定されると解釈されるものではなく、この中に開示された原理及び新規な特徴と両立する広範な領域を認容すべきものである。
【図面の簡単な説明】
【図１】  直交送信ダイバーシチを用いた通信システムの図である。
【図２】  直交送信ダイバーシチを用いた送信システムの図である。
【図３】  閉ループ電力制御命令を計算するための本発明の受信局の一部である。
【図４】  閉ループ電力制御命令を受信し、図２の増幅器の送信エネルギを制御する受信システムである。
【図５】  本発明の電力制御命令の値を決定する第一の方法を図示するフローチャートである。
【図６】  本発明の電力制御命令の値を決定する第二の方法を図示するフローチャートである。
【符号の説明】
２…基地局  １２…遠隔局  ５０…デマルチプレクサ  ５２，５４，５６，５８…拡散器  ６０，６２…複合ＰＮ拡散器  ６４，６６…送信器  ２２…受信器  ２４…複合ＰＮ逆拡散器  ２６、２８、３０、３２…逆拡散器  ３４、３６…ＳＮＲ計算器  ３８…電力制御プロセッサ  ３９…送信サブシステム  ４０…受信器  ４２…復調器  ４４…電力制御プロセッサ
【図１】
0004499328.tif 000002
【図２】
0004499328.tif 000003
【図３】
0004499328.tif 000004
【図４】
0004499328.tif 000005
【図５】
0004499328.tif 000006
【図６】
0004499328.tif 000007